(57)【要約】【課題】評価ユニットにおいて、頻度の低いエラーを検出でき、エラー発生時の環境情報を収集できることを目的とする。【解決手段】伝送装置に設けられ前記伝送装置を評価する評価ユニットであって、前記伝送装置のインタフェースユニットから受信したフレームのエラーを検出するエラー検出手段と、前記エラー検出手段のエラー検出時に情報収集を要求する情報収集要求を含むフレームを生成して前記インタフェースユニットに送信する要求送信手段と、前記インタフェースユニットから受信したフレームの中から前記エラー検出手段でエラーを検出したフレームと、前記情報収集要求に対する前記インタフェースユニットの応答を含むフレームを抽出する抽出手段と、前記抽出手段で抽出したフレームを記憶する記憶手段とを有する。【選択図】    図５
2010226199.tif 000002
【特許請求の範囲】
【請求項１】
伝送装置に設けられ前記伝送装置を評価する評価ユニットであって、
前記伝送装置のインタフェースユニットから受信したフレームのエラーを検出するエラー検出手段と、
前記エラー検出手段のエラー検出時に情報収集を要求する情報収集要求を含むフレームを生成して前記インタフェースユニットに送信する要求送信手段と、
前記インタフェースユニットから受信したフレームの中から前記エラー検出手段でエラーを検出したフレームと、前記情報収集要求に対する前記インタフェースユニットの応答を含むフレームを抽出する抽出手段と、
前記抽出手段で抽出したフレームを記憶する記憶手段と、
を有することを特徴とする評価ユニット。
【請求項２】
請求項１記載の評価ユニットにおいて、
前記伝送装置のインタフェースユニットから受信したフレームのうち前記インタフェースユニットの応答を含むフレームを除いて出力する出力手段を
有することを特徴とする評価ユニット。
【請求項３】
請求項１又は２記載の評価ユニットにおいて、
前記エラー検出手段は、
前記インタフェースユニットから受信したフレームを用いてエラー検出用符号演算を行う演算手段と、
前記インタフェースユニットから受信したフレームに付加されているエラー検出用符号データを前記演算手段の出力するエラー検出用符号値と比較して不一致のときエラー検出を行う比較手段と、
を有することを特徴とする評価ユニット。
【請求項４】
請求項３記載の評価ユニットにおいて、
前記エラー検出手段は、
前記インタフェースユニットから受信したフレームを構成する所定のデータ項目の基準値を保持する基準保持手段を有し、
前記比較手段は、インタフェースユニットから受信したフレームの所定のデータ項目の値を前記基準保持手段の保持する基準値と比較して不一致のときエラー検出を行うことを特徴とする評価ユニット。
【請求項５】
伝送装置を評価する伝送装置評価方法であって、
前記伝送装置のインタフェースユニットから受信したフレームのエラーをエラー検出手段で検出し、
前記エラー検出手段のエラー検出時に情報収集を要求する情報収集要求を含むフレームを生成して前記インタフェースユニットに送信し、
前記インタフェースユニットから受信したフレームの中から前記エラー検出手段でエラーを検出したフレームと、前記情報収集要求に対する前記インタフェースユニットの応答を含むフレームを抽出し、
前記抽出したフレームを記憶手段に記憶することを特徴とする伝送装置評価方法。
【発明の詳細な説明】
【技術分野】
【０００１】
本発明は、伝送装置の評価を行う伝送装置評価方法及び評価ユニットに関する。
【背景技術】
【０００２】
例えばＩＰ（Ｉｎｔｅｒｎｅｔ  Ｐｒｏｔｏｃｏｌ）ネットワークの伝送装置を評価する場合、ＩＰパケットを用いて伝送装置の評価を行うことが行われている。
【０００３】
図１は従来の伝送装置評価方法の一例の構成図を示す。図１において、パケット生成器１０で生成された評価用パケットは、光ケーブル１１を通して伝送装置１２のＩＦ（インタフェース）ユニット１３に設けられた光トランシーバ１３ａに供給される。評価用パケットは伝送装置１２内で処理された後、ＩＦユニット１３の光トランシーバ１３ｂから出力され、光ケーブル１４を通して評価装置１５に供給される。
【０００４】
評価装置１５は供給される評価用パケットを蓄積する。評価装置１５は蓄積した評価用パケットについてエラー検出を行う。
【０００５】
図２は従来の伝送装置評価方法の他の一例の構成図を示す。図２において、パケット生成器１０で生成された評価用パケットは、光ケーブル１１を通して伝送装置１２のＩＦユニット１３に設けられた光トランシーバ１３ａに供給される。評価用パケットは伝送装置１２内で処理された後、ＩＦユニット１３の光トランシーバ１３ｃから出力され、光ケーブル１６を通して伝送装置１７のＩＦユニット１８に設けられた光トランシーバ１８ａに供給される。ＩＦユニット１８では供給されたパケットに対して簡易的なエラー検出を行っており、エラーを検出した場合にはＩＦユニット１８に設けられたＬＥＤ１９を点灯させてエラー表示を行う。
【０００６】
なお、パケット通信装置において、端末からの流量を測定して、該端末が申告した流量を守っていない場合に該端末の呼のパケットを廃棄する技術が知られている（例えば特許文献１参照）。
【先行技術文献】
【特許文献】
【０００７】
【特許文献１】特開平０２−１１６２４０号公報
【発明の概要】
【発明が解決しようとする課題】
【０００８】
図１に示す従来技術では、伝送装置１２の評価を実施する場合、疎通している全ての評価用パケットを評価装置１５に取り込んで蓄積し、評価を行っている。このため、発生頻度の非常に低いエラーを測定しようとすると、大量の評価用パケットを伝送装置１２に供給する必要がある。この場合、大量の評価用パケットが評価装置１５に蓄積されることになるため、評価装置１５のパケットを蓄積するメモリがオーバーフローし、目的のパケットが取得できないという問題が発生するおそれがある。ここで言う、目的のパケットとは発生頻度の非常に低いエラーを発生するパケットのことである。
【０００９】
また、評価装置１５で蓄積した評価用パケットについてエラー検出が行われた場合、エラー検出した評価用パケットを出力した時点における伝送装置１２或いはＩＦユニット１３の電圧や温度等の環境情報を収集することができないという問題があった。
【００１０】
また、図２のように、ＩＦユニット１３の光トランシーバ１３ｃを光ケーブル１６で伝送装置１７のＩＦユニット１８の光トランシーバ１８ａに接続した場合には、評価装置１５をＩＦユニット１８の光トランシーバ１８ａに接続することができない。この場合、ＩＦユニット１８に設けられたＬＥＤ１９を点灯させてエラー表示を行う程度のエラー検出しか行うことができないという問題があった。
【００１１】
開示の評価ユニットは、頻度の低いエラーを検出でき、エラー発生時の環境情報を収集できることを目的とする。
【課題を解決するための手段】
【００１２】
開示の一実施形態による評価ユニットは、伝送装置に設けられ前記伝送装置を評価する評価ユニットであって、前記伝送装置のインタフェースユニットから受信したフレームのエラーを検出するエラー検出手段と、前記エラー検出手段のエラー検出時に情報収集を要求する情報収集要求を含むフレームを生成して前記インタフェースユニットに送信する要求送信手段と、前記インタフェースユニットから受信したフレームの中から前記エラー検出手段でエラーを検出したフレームと、前記情報収集要求フレームに対する前記インタフェースユニットの応答を含むフレームを抽出する抽出手段と、前記抽出手段で抽出したフレームを記憶する記憶手段と、を有する。
【発明の効果】
【００１３】
本実施形態によれば、頻度の低いエラーを検出でき、エラー発生時の環境情報を収集できる。
【図面の簡単な説明】
【００１４】
【図１】従来の伝送装置評価方法の一例の構成図である。
【図２】従来の伝送装置評価方法の他の一例の構成図である。
【図３】評価ユニットを持つ伝送装置の一実施形態の構成図である。
【図４】評価ユニットの一実施形態の大略構成図である。
【図５】評価ユニット内の治具部の一実施形態の構成図である。
【図６】受信パケットのフレームフォーマットを示す図である。
【図７】情報収集要求ＯＡＭパケットのフレームフォーマットを示す図である。
【図８】応答ＯＡＭパケットのフレームフォーマットを示す図である。
【図９】治具部が実行する処理の一実施形態のフローチャートである。
【図１０】ＩＦユニットにおける情報収集部の一実施形態の構成図である。
【図１１】ＩＦユニット内のパケット応答機能の一実施形態の構成図である。
【図１２】評価ユニットを持つ伝送装置の一実施形態の変形例の構成図である。
【図１３】評価ユニット内の治具部の他の実施形態の構成図である。
【発明を実施するための形態】
【００１５】
以下、図面に基づいて実施形態を説明する。
【００１６】
＜伝送装置の構成＞
図３は、評価ユニットを持つ伝送装置の一実施形態の構成図を示す。同図中、パケット生成器２０で生成された評価用パケットのフレームは、光ケーブル２１を通して伝送装置２２のＩＦユニット２３に設けられた光トランシーバ２３ａに供給される。評価用パケットは伝送装置２２内のＩＦユニット２３又は伝送装置２２内の他のユニットで処理された後、ＩＦユニット２３の光トランシーバ２３ｂから出力され、光ケーブル２４を通して光トランシーバ２５ａから伝送装置２２内の評価ユニット２５に供給される。評価ユニット２５の光トランシーバ２５ｂは光ケーブル２６により記憶装置２７に接続される。なお、必ずしも評価ユニット２５に記憶装置２７を接続する必要はない。
【００１７】
＜評価ユニットの構成＞
図４は評価ユニット２５の一実施形態の大略構成図、図５は評価ユニット２５内の治具部３２の一実施形態の構成図を示す。
【００１８】
図４において、入力部３１は光トランシーバ２５ａに相当し、光ケーブル２４から供給される光信号を電気信号に変換して治具部３２に供給する。出力部３３は治具部３２から供給される主信号の電気信号を光信号に変換して出力する。
【００１９】
治具部３２はエラーを検出した評価用パケットのフレーム又は後述する応答ＯＡＭパケットのフレームを抽出して情報記憶部３４に供給し情報記憶部３４に記憶（蓄積）させると共に、出力部３５に供給する。出力部３５は光トランシーバ２５ｂに相当し、供給される電気信号を光信号に変換して光ケーブル２６から記憶装置２７に供給して記憶（蓄積）させる。
【００２０】
なお、記憶装置２７は情報記憶部３４の機能を評価ユニット２５の外部に設けたものであり、情報記憶部３４を設けている場合には記憶装置２７を接続する必要はなく、また、記憶装置２７を接続して使用する場合には情報記憶部３４を設ける必要はない。
【００２１】
情報記憶部３４はＰＣ（パーソナルコンピュータ）−ＩＦ部３８を介して図示しない外部コンピュータに接続される。外部コンピュータは情報記憶部３４の記憶内容を読み出して解析する。
【００２２】
また、治具部３２は評価用パケットのエラーを検出した場合にＯＡＭ（Ｏｐｅｒａｔｉｏｎ，  Ａｄｍｉｎｉｓｔｒａｔｉｏｎ，  ＆  Ｍａｎａｇｅｍｅｎｔ）パケットを生成し、このＯＡＭパケットのフレームを出力部３６に供給する。出力部３６は光トランシーバ２５ａに相当し、ＯＡＭパケットのフレームの電気信号を光信号に変換して光ケーブル２４からＩＦユニット２３に供給する。また、治具部３２は評価用パケットのフレームのエラーを検出した場合に、伝送装置の前面パネルに配設しているＬＥＤ（発光ダイオード）３７を点灯表示する。
【００２３】
＜治具部の構成＞
図５において、端子４１には図４の入力部３１から受信パケットのフレーム（電気信号）が入力され、パケット判定部４２に供給される。パケット判定部４２は、供給される受信パケットが、応答ＯＡＭパケット、すなわちＯＡＭ生成部５１で生成された情報収集要求ＯＡＭパケットに対しＩＦユニット２３が応答したＯＡＭパケットであるか否かを判定する。この判定は、送信元アドレスとイーサタイプを見て行う。
【００２４】
パケット判定部４２は、応答ＯＡＭパケットであれば、ＦＩＦＯ４３及びＣＲＣ演算部４４に供給し、応答ＯＡＭパケット以外の通常パケット、つまり、評価用パケットであれば、ＦＩＦＯ４３及びＣＲＣ演算部４４に供給すると共に端子４５から出力部３３に供給する。
【００２５】
ＦＩＦＯ４３は受信パケットのフレームをバッファリングして比較部４６及びＦＩＦＯ４７に供給する。ＣＲＣ演算部４４はエラー検出用符号演算を行うもので、受信パケットのフレームの宛先アドレスからデータまでのＣＲＣ（Ｃｙｃｌｉｃ  Ｒｅｄｕｎｄａｎｃｙ  Ｃｈｅｃｋ）値を演算して比較部４６に供給する。
【００２６】
図６に受信パケットのフレームフォーマットを示す。このフレームフォーマットには、先頭のプリアンブルに続いて、宛先アドレス（Ｄｅｓｔｉｎａｔｉｏｎ  ＭＡＣ  Ａｄｄｒｅｓｓ）、送信元アドレス（Ｓｏｕｒｃｅ  ＭＡＣ  Ａｄｄｒｅｓｓ）、イーサタイプ（Ｅｔｈｅｒ  Ｔｙｐｅ）のフィールドがヘッダとして設けられる。そして、このフレームフォーマットには、続いてデータ（Ｄａｔａ）フィールドがあり、その後に、ＦＣＳ（Ｆｒａｍｅ  Ｃｈｅｃｋ  Ｓｅｑｕｅｎｃｅ）フィールドがある。なお、データフィールドにデータとしてＩＰパケットが格納され、ＦＣＳには宛先アドレスからデータまでの値から演算したＣＲＣ値（エラー検出用符号データ）が格納される。
【００２７】
基準保持部４８は、送信元アドレスとしてＩＦユニット２３のアドレスを保持しており、基準保持部４８は送信元アドレス（ＩＦユニット２３のアドレス）を基準値として比較部４６に供給する。なお、ＩＦユニット２３から評価ユニット２５に供給される評価用パケットのフレーム及び応答ＯＡＭパケットのフレームにおける送信元アドレスは上記ＩＦユニット２３のアドレスである。
【００２８】
なお、基準保持部４８は送信元アドレス（ＩＦユニット２３のアドレス）の他にも、宛先アドレス（評価ユニット２５のアドレス）、評価用パケット又は応答ＯＡＭパケットが取り得る複数タイプのイーサタイプを基準値として保持し、比較部４６に供給する構成となっている。
【００２９】
比較部４６は、ＣＲＣ演算部４４から供給されるＣＲＣ値と、ＣＲＣ演算部４４出力と同期を取ってＦＩＦＯ４３から出力される受信パケットのフレームのＦＣＳフィールドの値とを比較して一致判定を行う。更に、比較部４６は、受信パケットのフレームの送信元アドレスと、基準保持部４８から供給される送信元アドレスとを比較して一致判定を行う。
【００３０】
なお、比較部４６は、基準保持部４８に例えば宛先アドレスが保持されている場合には受信パケットのフレームの宛先アドレスと基準保持部４８の宛先アドレスとの一致判定も行う。この一致判定結果はＯＡＭ生成部５１，パケット挿入・廃棄部５２，ＬＥＤ駆動部５３それぞれに通知される。
【００３１】
ＯＡＭ生成部５１は、比較部４６から不一致を通知されると、ＩＦユニット２３に対し温度情報や電圧情報の収集を要求する情報収集要求ＯＡＭパケットを生成する。この際に、ＯＡＭ生成部５１は、タイマ部５４から供給される時刻情報をＯＡＭパケットに含ませる。ここで生成された情報収集要求ＯＡＭパケットのフレームは端子５５から図４の出力部３６に供給され、ＯＡＭ生成部５１は情報収集要求ＯＡＭパケットの出力をパケット挿入・廃棄部５２に通知する。
【００３２】
図７に情報収集要求ＯＡＭパケットのフレームフォーマットを示す。このフレームフォーマットには、先頭のプリアンブルに続いて、宛先アドレス（Ｄｅｓｔｉｎａｔｉｏｎ  ＭＡＣ  Ａｄｄｒｅｓｓ）、送信元アドレス（Ｓｏｕｒｃｅ  ＭＡＣ  Ａｄｄｒｅｓｓ）、イーサタイプ（Ｅｔｈｅｒ  Ｔｙｐｅ）のフィールドがある。
【００３３】
このフレームフォーマットには、続いてＯＡＭの各種情報フィールドがある。ＭＥ  ｌｅｖｅｌはＯＡＭレベル情報を示し、ｖｅｒはバージョンを示し、ＯｐＣｏｄｅはオペレーションコードでＯＡＭメッセージ種別を示している。更に、Ｆｌａｇｓ，ＴＶＬ  ｏｆｆｓｅｔのフィールドがあり、更に、要求内容、要求／回答Ｆｌａｇがある。要求内容には例えば温度、電圧等の要求する情報と時刻情報が設定される。要求／回答Ｆｌａｇには要求が設定される。
【００３４】
次のデータ（Ｄａｔａ）フィールドは空（ＡＬＬ  １又は０）とされ、その後に、Ｅｎｄ  ＴＶＬのフィールドが設けられ、更に、ＦＣＳフィールドがある。なお、ＦＣＳは宛先アドレスからＥｎｄ  ＴＶＬまでの値から演算したＣＲＣ値が格納される。
【００３５】
図８に応答ＯＡＭパケットのフレームフォーマットを示す。このフレームフォーマットには、先頭のプリアンブルに続いて、宛先アドレス（Ｄｅｓｔｉｎａｔｉｏｎ  ＭＡＣ  Ａｄｄｒｅｓｓ）、送信元アドレス（Ｓｏｕｒｃｅ  ＭＡＣ  Ａｄｄｒｅｓｓ）、イーサタイプ（Ｅｔｈｅｒ  Ｔｙｐｅ）のフィールドがある。
【００３６】
このフレームフォーマットには、続いてＯＡＭの各種情報フィールドがある。ＭＥ  ｌｅｖｅｌはＯＡＭレベル情報を示し、ｖｅｒはバージョンを示し、ＯｐＣｏｄｅはオペレーションコードでＯＡＭメッセージ種別を示している。更に、Ｆｌａｇｓ，ＴＶＬ  ｏｆｆｓｅｔのフィールドがあり、更に、要求内容、要求／回答Ｆｌａｇがある。要求内容には、情報収集要求ＯＡＭパケットからコピーされた、例えば温度、電圧等の要求された情報と時刻情報が設定される。要求／回答Ｆｌａｇには回答が設定される。
【００３７】
次のデータ（Ｄａｔａ）フィールドに温度情報、電圧情報等の要求内容に応じた収集情報が格納される。その後に、Ｅｎｄ  ＴＶＬのフィールドがあり、更に、ＦＣＳフィールドがある。なお、ＦＣＳは宛先アドレスからＥｎｄ  ＴＶＬまでの値から演算したＣＲＣ値が格納される。
【００３８】
図５に示すパケット挿入・廃棄部５２は比較部４６から一致を通知された場合、比較部４６出力と同期してＦＩＦＯ４７に入力された受信パケットが応答ＯＡＭパケットであれば、ＦＩＦＯ４７に保持されている評価用パケット及び当該応答ＯＡＭパケットを読み出して、端子５６から図４の情報記憶部３４及び出力部３５に供給する。比較部４６出力と同期してＦＩＦＯ４７に入力された受信パケットが評価用ＯＡＭパケットであれば、パケット挿入・廃棄部５２は当該評価用ＯＡＭパケットを廃棄する。
【００３９】
また、パケット挿入・廃棄部５２は比較部４６から不一致を通知されると、比較部４６出力と同期してＦＩＦＯ４７に入力された受信パケットが応答ＯＡＭパケットであれば、当該応答ＯＡＭパケットを廃棄する。比較部４６出力と同期してＦＩＦＯ４７に入力された受信パケットが評価用ＯＡＭパケットであれば、パケット挿入・廃棄部５２は当該評価用ＯＡＭパケットをＦＩＦＯ４７に保持する。
【００４０】
ＬＥＤ駆動部５３は、比較部４６から不一致を通知されるとＬＥＤを点灯する駆動信号を生成して端子５７からＬＥＤ３７に供給し、ＬＥＤ３７を点灯表示する。
【００４１】
＜治具部のフローチャート＞
図９に治具部３２が実行する処理の一実施形態のフローチャートを示す。同図中、ステップＳ１で受信パケットのフレームが入力され、ステップＳ２でパケット判定部４２は受信パケットが応答ＯＡＭパケットであるか否かを判定する。
【００４２】
受信パケットが応答ＯＡＭパケット以外の評価用パケットであれば、ステップＳ３で比較部４６は評価用パケットのＦＣＳのＣＲＣ値とＣＲＣ演算部４４の出力するＣＲＣ値とが一致するか否かを判別する。ステップＳ３で一致の場合はステップＳ４で比較部４６は評価用パケットの送信元アドレス等と基準保持部４８の出力する送信元アドレス等とが一致するか否かを判別する。ステップＳ４で一致の場合はステップＳ５でパケット挿入・廃棄部５２は当該評価用パケットを廃棄する。
【００４３】
ステップＳ３又はＳ４で不一致の場合、ステップＳ６でＦＩＦＯ４７はエラーの評価用パケットを保持し、ステップＳ７においてＯＡＭ生成部５１は情報収集要求ＯＡＭパケットを生成して端子５５から出力する。
【００４４】
一方、受信パケットが応答ＯＡＭパケットであれば、ステップＳ８で比較部４６は応答ＯＡＭパケットのＦＣＳのＣＲＣ値とＣＲＣ演算部４４の出力するＣＲＣ値とが一致するか否かを判別する。ステップＳ８で一致の場合はステップＳ９で比較部４６は応答ＯＡＭパケットの送信元アドレス等と基準保持部４８の出力する送信元アドレス等とが一致するか否かを判別する。ステップＳ９で一致の場合はステップＳ１０でパケット挿入・廃棄部５２はＦＩＦＯ４７に保持されている評価用パケットを端子５６から出力し、ステップＳ１１でパケット挿入・廃棄部５２は当該応答ＯＡＭパケットを端子５６から出力する。
【００４５】
ステップＳ８又はＳ９で不一致の場合、ステップＳ１２でパケット挿入・廃棄部５２はエラーの当該応答ＯＡＭパケットを廃棄する。
【００４６】
＜情報収集部の構成＞
図１０はＩＦユニット２３における情報収集部の一実施形態の構成図を示す。同図中、ローカルＣＰＵ６１はＡＤ変換器を内蔵しており、アナログ入力端子６２，６３の入力信号はＡＤ変換されてローカルＣＰＵ６１に取り込まれる。
【００４７】
測定対象位置のサーミスタ６５は一端を電源ＶＣＣに接続され他端を抵抗６６の一端に接続され、抵抗６６の他端は接地されており、サーミスタ６５と抵抗６６の接続点はアナログ入力端子６２に接続されている。サーミスタ６５は温度が高くなると抵抗値が増大し、アナログ入力端子６２の電圧は低下する。この電圧が、測定対象位置の温度情報としてローカルＣＰＵ６１に取り込まれる。
【００４８】
また、測定対象位置の電源ＶＣＣと接地ＧＮＤの間には抵抗６７と抵抗６８が直列接続されており、抵抗６７と抵抗６８の接続点はアナログ入力端子６３に接続されている。これにより、電源ＶＣＣの電圧を抵抗６７、６８で分圧した電圧が、測定対象位置の電圧情報としてローカルＣＰＵ６１に取り込まれる。なお、抵抗６７、６８の分圧比は、ローカルＣＰＵ６１のアナログ入力端子６３に供給される電圧が、アナログ入力端子６３における入力可能な電圧範囲となるように決定される。
【００４９】
＜ＩＦユニットの構成＞
図１１はＩＦユニット２３内のパケット応答機能の一実施形態の構成図を示す。同図中、入力部７１は光トランシーバ２３ｂに相当し、光ケーブル２４から供給される光信号を電気信号に変換しＯＡＭ抽出部７２に供給する。
【００５０】
ＯＡＭ抽出部７２は例えばネットワークプロセッサで構成され、評価ユニット２５から供給される情報収集要求ＯＡＭパケットのフレーム（図７参照）を抽出してＯＡＭ処理部７３に供給する。また、ＯＡＭ抽出部７２は情報収集要求ＯＡＭパケットを除く主信号のパケットを後続回路に供給する。
【００５１】
ＯＡＭ処理部７３は抽出した情報収集要求ＯＡＭパケットをローカルＣＰＵ６１に供給する。ローカルＣＰＵ６１は図１０に示したものであり、情報収集要求ＯＡＭパケットを解析し、その要求内容にしたがって測定対象位置の温度情報、電圧情報等のユニット内情報を読み取る。ローカルＣＰＵ６１は、収集した温度情報、電圧情報を格納した応答ＯＡＭパケットのフレーム（図８参照）を生成してＯＡＭ処理部７３に供給する。なお、応答ＯＡＭパケットには、情報収集要求ＯＡＭパケットに含まれる時刻情報をコピーして含ませておく。
【００５２】
ＯＡＭ処理部７３は上記応答ＯＡＭパケットをＯＡＭ挿入部７４に供給する。ＯＡＭ挿入部７４は例えばネットワークプロセッサで構成され、主信号のパケットに応答ＯＡＭパケットを挿入して出力部７５に供給する。出力部７５は光トランシーバ２３ｂに相当し、ＯＡＭ挿入部７４から供給される電気信号を光信号に変換し評価ユニット２５に向けて光ケーブル２４に送出する。
【００５３】
上記実施形態では、エラーが発生した評価用パケットと、このエラー発生時にＩＦユニット２３から収集した温度情報、電圧情報を格納した応答ＯＡＭパケットだけが情報記憶部３４又は記憶装置２７に記憶され、エラーのない評価用パケットは廃棄されるので、情報記憶部３４又は記憶装置２７の記憶容量を従来の評価装置１５に比して大幅に小さくすることができる。また、応答ＯＡＭパケットには情報収集要求ＯＡＭパケットから時刻情報がコピーされているため、エラーが発生した評価用パケットのうち、どのパケットに対応しているかが分かる。
【００５４】
このため、発生頻度の非常に低いエラーであっても、エラーを検出した時点でそのパケットを情報記憶部３４又は記憶装置２７に保持することができる。また、エラー検出時に、情報収集要求を行うため、長時間の評価を行う際にも確実にエラーの状態と、その環境情報を情報記憶部３４又は記憶装置２７に保持し、モニタすることが可能となる。
【００５５】
＜伝送装置の変形例＞
図１２は、評価ユニットを持つ伝送装置の一実施形態の変形例の構成図を示す。同図中、パケット生成器２０で生成された評価用パケットのフレームは、光ケーブル２１を通して伝送装置２２のＩＦユニット２３に設けられた光トランシーバ２３ａに供給される。評価用パケットは伝送装置２２内で処理され、運用中の主信号と多重されてＩＦユニット２３の光トランシーバ２３ｂから出力され、光ケーブル２４を通して光トランシーバ２５ａ（入力部３１に相当）から評価ユニット２５に供給される。
【００５６】
評価ユニット２５の光トランシーバ２５ｂ（出力部３５に相当）は光ケーブル２６により記憶装置２７に接続される。評価ユニット２５の光トランシーバ２５ｃは出力部３３に相当し、治具部３２から供給される運用中の主信号パケットの電気信号を光信号に変換して出力する。光トランシーバ２５ｃから出力された主信号パケットは光ケーブル２８を通して伝送装置２９のＩＦユニット３０に設けられた光トランシーバ３０ａに供給される。
【００５７】
この構成によって、伝送装置２２と伝送装置２９を接続した運用中であっても、伝送装置２２の評価を行うことができる。
【００５８】
上記の実施形態では、エラー検出手段の一例としてＣＲＣ演算部４４と比較部４６と基準保持部４８を用い、要求送信手段の一例としてＯＡＭ生成部５１を用い、抽出手段の一例としてパケット挿入・廃棄部５２を用い、記憶手段の一例として記憶装置２７又は情報記憶部３４を用い、出力手段の一例としてパケット判定部４２と出力部３３を用い、演算手段の一例としてＣＲＣ演算部４４を用い、基準保持手段の一例として基準保持部４８を用いている。
【００５９】
＜治具部の他の構成＞
図３、図１２に示す実施形態では、伝送装置２２，２９がＩＰ（Ｉｎｔｅｒｎｅｔ  Ｐｒｏｔｏｃｏｌ）ネットワークの伝送装置である場合の構成を示している。これに対し、伝送装置２２，２９がＳＯＮＥＴ（Ｓｙｎｃｈｒｏｎｏｕｓ  Ｏｐｔｉｃａｌ  Ｎｅｔｗｏｒｋ）又はＳＤＨ（Ｓｙｎｃｈｒｏｎｏｕｓ  Ｄｉｇｉｔａｌ  Ｈｉｅｒａｒｃｈｙ）ネットワークの伝送装置である場合の構成を図１３に示す。
【００６０】
図１３は評価ユニット２５内の治具部３２の他の実施形態の構成図を示す。同図中、端子１４１には図４の入力部３１から電気信号のＳＤＨフレームが入力され、ＯＨ（オーバーヘッド）抽出部１４２に供給される。ＯＨ抽出部１４２は、供給されるＳＤＨフレームから、オーバーヘッド、つまり、ＳＯＨ（Ｓｅｃｔｉｏｎ  ＯｖｅｒＨｅａｄ），ＰＯＨ（Ｐａｔｈ  ＯｖｅｒＨｅａｄ）を抽出し、ＳＤＨフレームをＦＩＦＯ１４３に供給すると共に端子１４５から出力部３３に供給し、抽出したＳＯＨ，ＰＯＨをＯＨ解析部１４４に供給する。
【００６１】
ＯＨ解析部１４４はＳＯＨのＢ１バイトからＢ１バイトエラーを検出し、また、ＰＯＨのＢ３バイトからＢ３バイトエラーを検出し、Ｂ１バイトエラー又はＢ３バイトエラーの検出時にエラー検出信号を生成してＯＨ挿入部１５１，フレーム出力部１５２，ＬＥＤ駆動部１５３に供給する。また、ＯＨ解析部１４４はＰＯＨの例えばＦ２バイトの保守用チャネルに温度情報や電圧情報が含まれていることを検出すると、情報検出信号を生成してフレーム出力部１５２に供給する。
【００６２】
ＯＨ挿入部１５１は、ＯＨ解析部１４４からエラー検出信号を供給されると、ＩＦユニット２３に対し温度情報や電圧情報の収集を要求する情報収集要求を主信号のオーバーヘッドの例えばＰＯＨのＦ２バイトの保守用チャネルに挿入したＳＤＨフレームを生成する。この際に、タイマ部１５４から供給される時刻情報を情報収集要求に含ませる。当該ＳＤＨフレームは端子１５５から図４の出力部３６に供給される。
【００６３】
フレーム出力部１５２はＯＨ解析部１４４からエラー検出信号を供給されるとＯＨ解析部１４４出力と同期してＦＩＦＯ１４３から出力されるＳＤＨフレームを端子１５６から出力する。また、ＯＨ解析部１４４から情報検出信号を供給されるとＯＨ解析部１４４出力と同期してＦＩＦＯ１４３から出力されるＳＤＨフレームを端子１５６から出力する。更に、フレーム出力部１５２はＯＨ解析部１４４からエラー検出信号又は情報検出信号が供給されなければＦＩＦＯ１４３から出力されるＳＤＨフレームを廃棄する。
【００６４】
ＬＥＤ駆動部１５３は、ＯＨ解析部１４４からエラー検出信号を供給されると、ＬＥＤを点灯する駆動信号を生成して端子１５７からＬＥＤ３７に供給し、ＬＥＤ３７を点灯表示する。
【００６５】
このように、ＳＤＨにおいても、エラーが発生したＳＤＨフレームと、このエラー発生時にＩＦユニット２３から収集した温度情報、電圧情報と情報収集要求からコピーした時刻情報をオーバーヘッドに含むＳＤＨフレームだけが情報記憶部３４又は記憶装置２７に記憶されるので、情報記憶部３４又は記憶装置２７の記憶容量は従来の評価装置１５に比して極めて小さくでき、発生頻度の非常に低いエラーであっても、エラーを検出した時点でそのパケットを情報記憶部３４又は記憶装置２７に保持することができる。これはＳＯＮＥＴについても同様である。
【００６６】
この実施形態では、エラー検出手段の一例としてＯＨ解析部１４４を用い、要求送信手段の一例としてＯＨ挿入部１５１を用い、抽出手段の一例としてフレーム出力部１５２を用い、記憶手段の一例として記憶装置２７又は情報記憶部３４を用いている。
（付記１）
伝送装置に設けられ前記伝送装置を評価する評価ユニットであって、
前記伝送装置のインタフェースユニットから受信したフレームのエラーを検出するエラー検出手段と、
前記エラー検出手段のエラー検出時に情報収集を要求する情報収集要求を含むフレームを生成して前記インタフェースユニットに送信する要求送信手段と、
前記インタフェースユニットから受信したフレームの中から前記エラー検出手段でエラーを検出したフレームと、前記情報収集要求に対する前記インタフェースユニットの応答を含むフレームを抽出する抽出手段と、
前記抽出手段で抽出したフレームを記憶する記憶手段と、
を有することを特徴とする評価ユニット。
（付記２）
付記１記載の評価ユニットにおいて、
前記伝送装置のインタフェースユニットから受信したフレームのうち前記インタフェースユニットの応答を含むフレームを除いて出力する出力手段を
有することを特徴とする評価ユニット。
（付記３）
付記１又は２記載の評価ユニットにおいて、
前記エラー検出手段は、
前記インタフェースユニットから受信したフレームを用いてエラー検出用符号演算を行う演算手段と、
前記インタフェースユニットから受信したフレームに付加されているエラー検出用符号データを前記演算手段の出力するエラー検出用符号値と比較して不一致のときエラー検出を行う比較手段と、
を有することを特徴とする評価ユニット。
（付記４）
付記３記載の評価ユニットにおいて、
前記エラー検出手段は、
前記インタフェースユニットから受信したフレームを構成する所定のデータ項目の基準値を保持する基準保持手段を有し、
前記比較手段は、インタフェースユニットから受信したフレームの所定のデータ項目の値を前記基準保持手段の保持する基準値と比較して不一致のときエラー検出を行うことを特徴とする評価ユニット。
（付記５）
伝送装置を評価する伝送装置評価方法であって、
前記伝送装置のインタフェースユニットから受信したフレームのエラーをエラー検出手段で検出し、
前記エラー検出手段のエラー検出時に情報収集を要求する情報収集要求を含むフレームを生成して前記インタフェースユニットに送信し、
前記インタフェースユニットから受信したフレームの中から前記エラー検出手段でエラーを検出したフレームと、前記情報収集要求に対する前記インタフェースユニットの応答を含むフレームを抽出し、
前記抽出したフレームを記憶手段に記憶することを特徴とする伝送装置評価方法。
（付記６）
付記５記載の伝送装置評価方法において、
前記伝送装置のインタフェースユニットから受信したフレームのうち前記インタフェースユニットの応答を含むフレームを除いて出力することを特徴とする伝送装置評価方法。
（付記７）
付記５又は６記載の伝送装置評価方法において、
前記エラー検出は、前記インタフェースユニットから受信したフレームを用いてエラー検出用符号演算を行い、
前記インタフェースユニットから受信したフレームに付加されているエラー検出用符号データを前記エラー検出用符号演算で得たエラー検出用符号値と比較して不一致のときエラー検出を行うことを特徴とする伝送装置評価方法。
（付記８）
付記７記載の伝送装置評価方法において、
前記エラー検出は、前記インタフェースユニットから受信したフレームを構成する所定のデータ項目の基準値を基準保持手段に保持し、
前記インタフェースユニットから受信したフレームの所定のデータ項目の値を前記基準値と比較して不一致のときエラー検出を行うことを特徴とする伝送装置評価方法。
（付記９）
付記１記載の評価ユニットにおいて、
前記記憶手段を、ユニット外部に設けたことを特徴とする評価ユニット。
【符号の説明】
【００６７】
２０  パケット生成器
２１，２４，２６，２８  光ケーブル
２２，２９  伝送装置
２３，３０  ＩＦユニット
２３ａ，２３ｂ，２５ａ，２５ｂ，３０ａ  光トランシーバ
２５  評価ユニット
２７  記憶装置
３１  入力部
３２  治具部
３３，３５，３６  出力部
３４  情報記憶部
３７  ＬＥＤ
３８  ＰＣ−ＩＦ部
４２  パケット判定部
４３，４７  ＦＩＦＯ
４４  ＣＲＣ演算部
４６  比較部
４８  基準保持部
５１  ＯＡＭ生成部
５２  パケット挿入・廃棄部
５３  ＬＥＤ駆動部
１４４  ＯＨ解析部
１５１  ＯＨ挿入部
１５２  フレーム出力部
【図１】
2010226199.tif 000003
【図２】
2010226199.tif 000004
【図３】
2010226199.tif 000005
【図４】
2010226199.tif 000006
【図５】
2010226199.tif 000007
【図６】
2010226199.tif 000008
【図７】
2010226199.tif 000009
【図８】
2010226199.tif 000010
【図９】
2010226199.tif 000011
【図１０】
2010226199.tif 000012
【図１１】
2010226199.tif 000013
【図１２】
2010226199.tif 000014
【図１３】
2010226199.tif 000015